(57)【特許請求の範囲】
【請求項１】
脚体により支持された座フレームと、その後部に下部が取付けられた背凭れの背フレームとを備える椅子において、前記背フレームを枠状に形成し、この背フレームに、メッシュ状に編成され、かつ下方が開口された袋状の張り材を上方より被せて張設し、前記背フレームにおける左右の側杆の下部に設けた取付部を、前記座フレームの後部の両側部上面に、着脱可能に取付け、かつ座フレームの後縁と後部両側縁に、前記左右の取付部と、前記張り材が張設された前記背フレームの下部とを、後方及び両側方より覆いうるカバー片を立設したことを特徴とする椅子。
【請求項２】
カバー片における左右の後隅部の内面に、平面視半円弧状に外側方に凹入する上下方向を向く凹溝を設け、これら両凹溝に、背フレームにおける左右の側杆の下部、及びその部分に張設した張り材を嵌合してなる請求項１記載の椅子。
【請求項３】
カバー片の後隅部の上下寸法を、後部及び両側部のカバー片の上下寸法よりも大としてなる請求項２記載の椅子。
【請求項４】
背フレームの左右の取付部を、前後方向を向き、かつ後端が両側杆の下端部の前面に固着された正面視内向きＬ字状をなすブラケットとし、両ブラケットの内向片を、座フレームの後部の両側部上面に、ねじにより着脱可能に固定してなる請求項１〜３のいずれかに記載の椅子。
【発明の詳細な説明】
【技術分野】
【０００１】
本発明は、例えば学校の講義室等において床面に固定して設置される椅子に関する。
【背景技術】
【０００２】
このような椅子の中には、背凭れを、背板のみにより形成したもの(例えば特許文献１参照)、背板の前面に薄いクッション材を取付けたもの(例えば特許文献２参照)などがある。
【先行技術文献】
【特許文献】
【０００３】
【特許文献１】特許第２９２７７１２号公報
【特許文献２】特開２００４−１３５８１７号公報
【発明の概要】
【発明が解決しようとする課題】
【０００４】
上記特許文献１及び２に記載されている椅子においては、背凭れのクッション性に乏しいため、後方に撓みにくく、かつ通気性もないため、快適な座り心地が得られない。
また、椅子を前方の不使用位置に回動させると、背凭れが前傾して、机の天板の一部が不透光性の背凭れにより覆われるので、圧迫感を呈したり、机上面に影を落として暗くなったりする。
【０００５】
この問題に対処するためには、枠状とした背フレームに、伸縮かつ通気性及び透光性を有するメッシュ状の張り材を張設することが考えられる。
しかし、上記特許文献に記載の椅子の背凭れに張り材を張設すると、不使用位置に前傾させた椅子を後方の使用位置に回動させて着座する際に、座者の臀部が張り材の前面に当り、その部分が擦れて損傷したり、不使用位置に前傾させた椅子の後方を人が通行する際に、背凭れの下部の張り材に物が当たるなどして、その部分の張り材を損傷させたりすることがある。
このようなときには、損傷した張り材を張り替える必要があるが、背フレームに対する張り材の張り替え作業をいかに簡単に行いうるようにするかが課題となる。
【０００６】
また、椅子を不使用位置に前傾させた際に、背凭れの下端部の座体への取付部や、背フレームに張設した張り材の下部が後方に突出して露呈し、見栄えが悪くなったりすることが懸念されるため、取付部や張り材の下部をいかに体裁よく覆うかも課題となる。
【０００７】
本発明は、上記課題に鑑みてなされたもので、背フレームにメッシュ状の張り材を張設して、座り心地を向上させるとともに、張り材の交換作業を容易に行いうるようにし、さらに、背フレームに張設した張り材の下部や、背フレームの下部の取付部を体裁よく覆うとともに、張り材の下部が損傷するのを防止しうるようにした椅子を提供することを目的としている。
【課題を解決するための手段】
【０００８】
本発明によると、上記課題は、次の各項のようにして解決される。
（１）脚体により支持された座フレームと、その後部に下部が取付けられた背凭れの背フレームとを備える椅子において、前記背フレームを枠状に形成し、この背フレームに、メッシュ状に編成され、かつ下方が開口された袋状の張り材を上方より被せて張設し、前記背フレームにおける左右の側杆の下部に設けた取付部を、前記座フレームの後部の両側部上面に、着脱可能に取付け、かつ座フレームの後縁と後部両側縁に、前記左右の取付部と、前記張り材が張設された前記背フレームの下部とを、後方及び両側方より覆いうるカバー片を立設する。
【０００９】
このような構成とすると、背凭れの背フレームを枠状とし、この背フレームに、メッシュ状の張り材を張設したことにより、背凭れに凭れ掛けた際に張り材が後方に撓み易く、かつ通気性も有するので、快適な座り心地が得られる。
また、張り材は、下方が開口する袋状をなし、これを背フレームに上方より被せて張設されているので、その交換作業が容易である。
さらに、背フレームにおける左右の側杆の下部に設けた取付部、及び張り材が張設された前記背フレームの下部は、カバー片をもって、後方及び両側方から覆われているので、体裁がよく、かつ張り材の下部が損傷するのを防止することができる。
【００１０】
（２）上記(１)項において、カバー片における左右の後隅部の内面に、平面視半円弧状に外側方に凹入する上下方向を向く凹溝を設け、これら両凹溝に、背フレームにおける左右の側杆の下部、及びその部分に張設した張り材を嵌合する。
【００１１】
このような構成とすると、背フレームにおける左右の側杆の下部及びその部分に張設した張り材を、カバー片における左右の後隅部の内面に設けた凹溝に嵌合することにより、座フレームに対し背フレームが前後左右に位置決めされ、背フレームが前後左右方向に位置ずれするのが防止されるので、座フレームに背フレームの下部を容易に取付けることができる。
【００１２】
（３）上記(２)項において、カバー片の後隅部の上下寸法を、後部及び両側部のカバー片の上下寸法よりも大とする。
【００１３】
このような構成とすると、背フレームの下端部が、座フレームにおける上下寸法を大としたカバー片の後隅部により安定よく保持される。
また、背フレームに加わる後向きや左右方向の荷重が、上下寸法を大とした後隅部により受止されるので、それらの荷重が、左右の側杆の取付部に曲げ荷重となって直接加わることがない。
【００１４】
（４）上記(１)〜(３)項のいずれかにおいて、背フレームの左右の取付部を、前後方向を向き、かつ後端が両側杆の下端部の前面に固着された正面視内向きＬ字状をなすブラケットとし、両ブラケットの内向片を、座フレームの後部の両側部上面に、ねじにより着脱可能に固定する。
【００１５】
このような構成とすると、背フレームの左右の取付部を、前後方向を向き、かつ後端が両側杆の下端部の前面に固着された正面視内向きＬ字状をなすブラケットとし、このブラケットの内向片を、座フレームの後部の両側部上面に、ねじにより固定しているので、背凭れの下端部の座フレームへの取付強度が大となるとともに、座フレームへの組付けや取外し作業が容易となる。
【発明の効果】
【００１６】
本発明によれば、背凭れの背フレームを枠状とし、この背フレームに、メッシュ状の張り材を張設してあるので、背凭れに凭れ掛けた際に張り材が後方に撓み、快適な座り心地が得られる。
また、張り材は、下方が開口する袋状をなし、これを背フレームに上方より被せて張設されているので、その交換作業が容易となる。
さらに、背フレームにおける左右の側杆の下部に設けた取付部、及び張り材が張設された背フレームの下部は、カバー片をもって、後方及び両側方から覆われているので、体裁がよく、かつ張り材の下部が損傷するのを防止することができる。
【図面の簡単な説明】
【００１７】
【図１】本発明の椅子の一実施形態の図である。
【図２】同じく、正面図である。
【図３】同じく、斜め前方より見た斜視図である。
【図４】同じく、分解斜視図である。
【図５】座フレームに背凭れを組み付けた状態の斜視図である。
【図６】図２のＶＩ−ＶＩ線拡大縦断側面図である。
【図７】同じく、図２のＶＩＩ−ＶＩＩ線拡大縦断側面図である。
【発明を実施するための形態】
【００１８】
以下、本発明の一実施形態を、図面に基づいて説明する。
図１は、学校の講義室等に設置される本発明の椅子１の側面図、図２は、同じく正面図、図３は、同じく、斜め前方より見た斜視図、図４は、同じく分解斜視図で、この椅子１は、床面Ｆに固定された前後方向(以下、図１の左方を前として説明する)に一定間隔おきに並ぶ机２の間の床面Ｆに、固定して使用されるものである。
【００１９】
椅子１は、床面Ｆに固定されたベース３と、このベース３に下端部が前後方向に回動可能に枢着された角管よりなる脚柱４と、脚柱４の上端部に取付けられた座５と、座５の後端部に取付けられた背凭れ６とを備えている。
椅子１は、図１に実線で示すように、脚柱４がやや後傾する使用位置と、２点鎖線で示すように、背凭れ６の前面が机２の天板７の後端と近接する位置まで前傾する不使用位置とに、ベース３を中心として前後に回動しうるようになっている。
【００２０】
背凭れ６は、図４に示すように、下端部の対向面がパイプ製の下部横杆８により連結されたパイプよりなる角枠状の背フレーム９と、この背フレーム９全体を覆うように上方より被せられる、下端が開放された袋状の張り材１０とからなっている。張り材１０は、適度に伸縮性を有する合成繊維を、透光性及び通気性を有するようにメッシュ状に織るか、編むなどして形成され、下端の開口部には、この開口部を閉じる図示しないファスナーが縫着されている。
【００２１】
背フレーム９における左右の側杆９ａ、９ａの中間部は、側面視くの字状に折曲され、また、両側杆９ａの上端に連設された上部横杆９ｂと上記下部横杆８は、後方に円弧状に膨出するように湾曲されている。
【００２２】
左右の側杆９ａ、９ａにおける下端部の前面には、内向片１１ａと垂直片１１ｂとからなる正面視内向きＬ字状をなす取付ブラケット１１、１１が、それらの垂直片１１ｂの後端を溶接することにより、対向状に固着されている。内向片１１ａの上面には、前後２個のナット１２、１２が、内向片１１ａに穿設した前後の通孔(図示略)と連通するように、溶接により固着されている。
【００２３】
座５は、アルミニウム合金等のダイカスト製品よりなる座フレーム１３と、この上面に装着される、上面がクッション材１４により覆われた座板１５とからなっている。
【００２４】
図４に示すように、座フレーム１３は、上面が若干下方に湾曲し、かつ前縁と左右の両側縁に上向きの縁片１６を有するとともに、後縁に、縁片１６よりも上下寸法の大きな後部カバー片１７を有する前後方向にやや長い方形の基板１８と、この基板１８の後半部において、左右の縁片１６と後部カバー片１７とに連続するように外向きに一体的に形成された左右１対の背凭れ取付部１９、１９とを備え、基板１８の下面は、不使用位置に前傾させた際の後方からの体裁をよくするために、平滑面としてある。なお、後部カバー片１７の上下寸法は、背フレーム９の左右の取付ブラケット１１を左右の背凭れ支持部１９に取付けた際に、背フレーム９の下部横杆８が後方より覆われる長さとされている。
【００２５】
左右の背凭れ取付部１９、１９は、上述した取付ブラケット１１の内向片１１ａと側杆９ａの下端を受支する支持部１９ａと、その前縁と外側縁より起立し、後縁が基板１８の後部カバー片１７と連続する側部カバー片１９ｂとを備え、この側部カバー片１９ｂは、取付ブラケット１１の外側方、及び側杆９ａの下端部の外側方と後方を覆いうる上下寸法としてある。
【００２６】
後部カバー片１７と左右の側部カバー片１９ｂ、１９ｂとが連続する後隅部１９ｃの上下寸法は、他部よりも大とされ、両後隅部１９ｃ、１９ｃには、外側方に平面視円弧状に凹入する上下方向の凹溝２１を内面に有する嵌合部２２、２２が、外向きに円弧状に膨出させて形成されている。これら左右の凹溝２１には、背フレーム９における左右の側杆９ａ、９ａの下端部と、その部分に張設された張り材１０の外周面が、上方より嵌合されるようになっている。
【００２７】
座フレーム１３の基板１８は、脚柱４の上端部に、次のようにして固定されている。
図４、及び図６の拡大断面図に示すように、基板１８のやや前方寄りの中央部には、上部が基板１８の上面より高く、後部が低い、後下方に傾斜する方形の脚柱取付部２３が形成され、この脚柱取付部２３の下面には、脚柱４の上端部に嵌合される方形の突部２３ａが突設されている。
【００２８】
脚柱４の上端部の内面には、前後２個のめねじ孔２４、２４を有する取付板２５が、溶接により固着されている。
脚柱４の上端部に、脚柱取付部２３の突部２３ａを嵌合し、脚柱取付部２３に設けた、軸線が後傾する前後２個の通孔２６、２６に上方より挿入したボルト２７、２７を、取付板２５のめねじ孔２４、２４に螺合して締め付けることにより、座フレーム１３の下面が、脚柱４の上端部に固定されている。
【００２９】
次に、座５と背凭れ６との組付手順について説明する。
まず、背フレーム９に上方より張り材１０を被せ、下方に引っ張りながら、下部横杆８の直下において、張り材１０の下端の開口部をファスナーにより閉じることにより、張り材１０を枠状の背フレーム９に張設する。なお、図４に示すように、張り材１０の下端部の両側部には、左右の取付ブラケット１１の垂直片１１ｂの基端部が入り込む上向きのスリット２８、２８が形成され、張り材１０の下端部が無理なく下部横杆８の直下に位置するようにしてある。
【００３０】
ついで、図５に示すように、座フレーム１３における左右の背凭れ取付部１９、１９に、張り材１０が張設された背フレーム９を、次のようにして取付ける。
すなわち、図７にも示すように、背フレーム９の左右の側杆９ａ、９ａの下端部を、左右の背凭れ取付部１９、１９における後隅部１９ｃに設けた嵌合部２２の凹溝２１に上方より嵌合させながら、左右の取付ブラケット１１、１１の内向片１１ａ、１１ａを、背凭れ取付部１９の支持部１９ａの上面に載置する。この際、左右の側杆９ａ、９ａの下端部が左右の嵌合部２２の凹溝２１に嵌合されて位置決めされているので、座フレーム１３に対し背フレーム９が前後左右方向に位置ずれするのが防止される。
【００３１】
ついで、図７に示すように、左右の背凭れ取付部１９、１９の支持部１９ａに設けた前後２個の取付孔２９、２９に下方より挿入したボルト３０、３０を、左右の取付ブラケット１１、１１の内向片１１ａ、１１ａの上面に溶接したナット１２、１２に螺合して締め付ける。
【００３２】
これにより、上述したように、左右の取付ブラケット１１、１１の垂直片１１ｂの側方と、左右の側杆９ａ、９ａの下端部及びそれに張設された張り材１０の下端部の両側部とが、側部カバー片１９ｂ、１９ｂにより体裁よく覆われるとともに、下部横杆８及びそれを覆うように張設された張り材１０の下端部の後方も、後部カバー片１７により体裁よく覆われる。
また、側杆９ａ、９ａの下端部に張設されている張り材１０と、下部横杆８に張設されている張り材１０の下端部とが、側部カバー片１９ｂと後部カバー片１７により保護されるので、その部分が損傷しにくくなる。特に、本実施形態の椅子のように、講義室等において前後の机２間に設置され、不使用時に前傾させて椅子の後方を人が通行しうるようにしたものにおいては、張り材１０の下端部に物が当たって損傷することがあるので、その部分を側部カバー片１９ｂと後部カバー片１７により覆って保護することは、損傷防止に効果的である。
【００３３】
なお、左右の側杆９ａ、９ａの外周面と、左右の嵌合部２２、２２の凹溝２１との対向面に、張り材１０を挟入しうるだけの隙間を設けておけば、背フレーム９を座フレーム１３に固定した後でも、背フレーム９に張り材１０を張設することができる。
【００３４】
ついで、上述した要領で、座フレーム１３を脚柱４の上端部に固定したのち、座フレーム１３における基板１８の前端部と後部寄りの上面に突設された前後左右４個のボス部３１の取付孔３２に、下方よりボルト３３を挿入し、各ボルト３３の上端部を、座板１５の下面のめねじ孔(図示略)に螺合する。
これにより、クッション材１４を装着した座板１５は、その後端部が左右の背凭れ取付部１９、１９の側部カバー片１９ｂと後部カバー片１７とに囲まれた空間部に挿入され、かつ下部横杆８を上方より覆うようにして、座フレーム１３の上面に取付けられる(図３参照)。
【００３５】
以上説明したように、上記実施形態の椅子においては、枠状をなす背フレーム９に、伸縮性、通気性、及び透光性を有するメッシュ状の張り材１０を張設してあるので、快適な座り心地が得られるとともに、椅子を不使用位置に前傾させた際でも、机２の天板７の後部側に影を落として机上面が暗くなったり、圧迫感を呈したりすることがない。また、前方、斜め前上方、及び側方等からの机上面の視認性も良好となる。
【００３６】
また、背凭れ６と座板１５は、座フレーム１３に着脱可能にねじ止めされているので、座フレーム１３より、座板１５と背凭れ６の両方、もしくは、座板１５のみを取外したのち、張り材１０の下端の開口部に設けたファスナーを開放するだけで、背フレーム９より張り材１０を上方に抜き外したり、上方より被せて装着したりしうるので、張り材１０が損傷したりした際の交換作業が容易となる。
【００３７】
さらに、背凭れ６を座フレーム１３に取付けるための左右の取付ブラケット１１、１１及び張り材１０が張設された背フレーム９の下端部は、座フレーム１３における左右の背凭れ取付部１９の側部カバー片１９ｂと後部カバー片１７とにより覆われているので、特に、椅子を不使用位置に前傾させた際の体裁が向上する。
しかも、上述したように、不使用時に椅子の後方を人が通行し、後方に突出する背凭れ６の下端部に物が当たっても、背フレーム９の下端部に張設された張り材１０，すなわち、側杆９ａ、９ａの下端部に張設されている張り材１０と、下部横杆８に張設されている張り材１０とは、側部カバー片１９ｂと後部カバー片１７により保護されているので、それらの部分が損傷する恐れは極めて小さくなる。
【００３８】
また、上述したように、張り材１０を張設した背フレーム９を、座フレーム１３の左右の背凭れ取付部１９に取付ける際、背フレーム９における左右の側杆９ａ、９ａの下端部が、左右の背凭れ取付部１９に設けた嵌合部２２の凹溝２１に嵌合されて位置決めされ、座フレーム１３に対し背フレーム９が前後左右方向に位置ずれするのが防止されるので、座フレーム１３への背フレーム９の下端部の取付作業を容易に行うことができる。
【００３９】
後部カバー片１７と側部カバー片１９ｂとが連続する後隅部１９ｃの上下寸法を大とし、その部分に設けた上下方向の凹溝２１に、背フレーム９の左右の側杆９ｂの下端部を嵌合してあるので、背フレーム９の下端部が、座フレーム１３の後隅部１９ｃにより安定よく保持される。
また、背フレーム９に加わる後向きや左右方向の荷重が、上下寸法を大とした後隅部１９ｃにより受止されるので、それらの荷重が、左右の取付ブラケット１１に曲げ荷重となって直接加わることがない。
【００４０】
なお、本発明は、上記のような床面に前後方向に回動可能に設置される椅子に限らず、通常の一般的な椅子にも適用することができる。
【符号の説明】
【００４１】
１  椅子
２  机
３  ベース
４  脚柱
５  座
６  背凭れ
７  天板
８  下部横杆
９  背フレーム
９ａ側杆
９ｂ上部横杆
１０  張り材
１１  取付ブラケット
１１ａ内向片
１１ｂ垂直片
１２  ナット
１３  座フレーム
１４  クッション材
１５  座板
１６  縁片
１７  後部カバー片
１８  基板
１９  背凭れ取付部
１９ａ支持部
１９ｂ側部カバー片
１９ｃ後隅部
２１  凹溝
２２  嵌合部
２３  脚柱取付部
２３ａ突部
２４  めねじ孔
２５  取付板
２６  通孔
２７  ボルト
２８  スリット
２９  取付孔
３０  ボルト
３１  ボス部
３２  取付孔
３３  ボルト
Ｆ  床面
【図１】
0005503356.tif 000002
【図２】
0005503356.tif 000003
【図３】
0005503356.tif 000004
【図４】
0005503356.tif 000005
【図５】
0005503356.tif 000006
【図６】
0005503356.tif 000007
【図７】
0005503356.tif 000008